(57)【要約】【課題】ウォームアップ時間の短縮を図る。【解決手段】熱ロールの定着領域に対向して設けた非接触式第１熱ロール温度検出手段20、定着領域外の熱ロール上に配置した第２熱ロール温度検出手段22を備えた定着装置のウォームアップ時、第２熱ロール温度検出手段による第２検出温度が一定となっている期間に、第１熱ロール温度検出手段により検出される第１検出温度の時間間隔に伴う変化量を取得し、それから第１検出温度の予測収束温度を演算し、標準温度ととの差分を演算して、差分値により第１検出温度を補正して、その後補正された第１検出温度に基いてヒータ23オン／オフ制御を行なう。【選択図】図４
2008020630.tif 000002
【特許請求の範囲】
【請求項１】
加熱手段を備えた熱ロールと、
その熱ロールに圧接する加圧ロールと、
前記熱ロールの定着に関与する定着領域に対向して熱ロールと非接触の状態で配置した非接触式の第１の熱ロール温度検出手段と、
前記定着領域外の熱ロールの領域上に配置した第２の熱ロール温度検出手段とを備え、
前記第１の熱ロール温度検出手段からの検出信号に基いて前記加熱手段のオン／オフ制御を行ない、前記熱ロールの温度を所定の温度に維持しながら、前記熱ロールと加圧ロールとの圧接部で記録媒体上に転写されたトナー像を当該記録媒体に熱定着する定着装置のウォーミングアップ方法において、
前記定着装置のウォーミングアップ時、前記第２の熱ロール温度検出手段により検出される第２の検出温度が一定となっている期間に、前記第１の熱ロール温度検出手段により検出される第１の検出温度の時間間隔に伴う変化量を取得し、
その第１の検出温度の時間間隔に伴う変化量から、収束すると予測される第１の検出温度の予測収束温度を演算し、
予め記憶されている標準温度と前記予測収束温度との差分を演算して、
その差分値により前記第１の熱ロール温度検出手段により検出される第１の検出温度を補正して、
その後補正された第１の検出温度に基いて前記加熱手段のオン／オフ制御を行なうことを特徴とする定着装置のウォーミングアップ方法。
【請求項２】
請求項１記載の定着装置のウォーミングアップ方法において、
前記加熱手段は、前記定着領域の軸方向の異なる位置に個別に加熱部を有する複数本の短加熱部ヒータと、前記定着領域の軸方向のほぼ全長に亘って加熱部を有する少なくとも１本の長加熱部ヒータとを有し、
前記第２の検出温度を一定に制御するために設定された第２の温度制御用設定値よりも高いコントロール温度を設定し、
定着装置のウォーミングアップ開始当初は、前記短加熱部ヒータならびに長加熱部ヒータに通電して、前記コントロール温度を目標値として前記第１の熱ロール温度検出手段により温度制御を行ない、
前記第２の検出温度が第２の温度制御用設定値に到達すると、前記短加熱部ヒータへの通電を停止して、前記長加熱部ヒータへの通電を継続し、前記第２の温度制御用設定値を目標値とする前記第２の熱ロール温度検出手段による温度制御に切り替えることを特徴とする定着装置のウォーミングアップ方法。
【請求項３】
請求項１記載の定着装置のウォーミングアップ方法において、
前記加熱手段は複数本の加熱ヒータを備え、各加熱ヒータは定着領域の軸方向の異なる位置に個別に加熱部を有し、
前記第１の熱ロール温度検出手段が前記各加熱部と対向して複数設置されて、
各第１の熱ロール温度検出手段に対して個別に前記第１の検出温度が補正されて、
その補正された第１の検出温度に基いて前記複数本の加熱ヒータを個別にオン／オフ制御することを特徴とする定着装置のウォーミングアップ方法。
【請求項４】
請求項１記載の定着装置のウォーミングアップ方法において、
前記第１の検出温度の予測収束温度Ｙが、下式により演算されることを特徴とする定着装置のウォーミングアップ方法。
Ｙ＝Ａ×（Ｐｎ−Ｐ(ｎ−1)）／（Ｔｎ−Ｔ(ｎ−1)）+Ｐｎ
式中Ａ：第１の熱ロール温度検出手段固有の定数
Ｐ：第１の熱ロール温度検出手段の出力
ｎ：データの取得数
Ｔ：データの取得時刻
【請求項５】
請求項２記載の定着装置のウォーミングアップ方法において、
前記補正された第１の検出温度に基いて前記加熱手段のオン／オフ制御を行ない、前記第１の検出温度が前記コントロール温度に到達するとウォーミングアップを完了することを特徴とする定着装置のウォーミングアップ方法。
【請求項６】
請求項１または４記載の定着装置のウォーミングアップ方法において、
前記第１の検出温度の予測収束温度と予め設定されている標準温度とを比較して、その差分が規定された範囲を外れた場合に第１の熱ロール温度検出手段の異常エラーと判断することを特徴とする定着装置のウォーミングアップ方法。
【請求項７】
請求項６記載の定着装置のウォーミングアップ方法において、
前記第１の熱ロール温度検出手段の異常エラーと判断されると、その第１の熱ロール温度検出手段の清掃または交換をオペレータに報知することを特徴とする定着装置のウォーミングアップ方法。
【請求項８】
帯電器により帯電された感光体上に書き込まれた静電潜像を現像機で現像してトナー像を形成し、搬送されてきた記録媒体に前記感光体上のトナー像を転写器により転写して、定着装置の熱ロールと加圧ロールの間に前記記録媒体を通すことにより前記トナーを記録媒体に熱定着する画像形成装置のウォーミングアップ方法において、
前記定着装置のウォーミングアップを請求項１ないし７のいずれか１項記載の定着装置のウォーミングアップ方法で実行することを特徴とする画像形成装置のウォーミングアップ方法。
【発明の詳細な説明】
【技術分野】
【０００１】
本発明は、電子写真式印刷装置等の画像形成装置に用いる定着装置に係り、特に熱ロールを使用する定着装置のウォーミングアップ方法に関するものである。
【背景技術】
【０００２】
図６は、電子写真式印刷装置の概略構成図である。同図において１は帯電器、２はドラム状の感光体、３は露光装置（図示せず）から出力されるレーザ光、４はトナーを収容した現像機、５は記録媒体搬送ユニット、６は連続紙からなる記録媒体、７はトナー像を定着させる熱ロール、８は定着時に記録媒体６を熱ロール７側に押しつける加圧ロール、９は記録媒体６を排出するプラーローラ、１０は排出された記録媒体６を収納する記録媒体巻き取り装置、１１はトナー像を記録媒体6に転写するコロナ転写器、１２はリトラクタ、１５は記録媒体供給装置である。
【０００３】
この印刷装置において、帯電器１により帯電された感光体２へレーザ光３により書き込まれた静電潜像は現像機４により現像され、記録媒体６が記録媒体搬送ユニット５より送り出され、リトラクタ１２を通過する時、感光体２上のトナーがコロナ転写器１１により記録媒体６に転写される。その後送り出された記録媒体６は熱ロール７と加圧ロール８の間を通りトナーが定着され、プラーローラ９により記録媒体巻き取り装置１０に送り出される仕組みになっている。
【０００４】
このような印刷装置の熱ロール７付近の構成を図７と図８に示す。  
図７は検温素子としてサーモライトチップを用いた構成であり、２０ａ，２０ｂ，２０ｃは熱ロール７の表面温度を検出する非接触式温度センサ、２１は検温素子であるサーモライトチップ２２の温度を検出するセンサヘッド、２３ａ，２３ｂ，２３ｃ，２３ｄは熱ロール７に内蔵された加熱ヒータである。
【０００５】
図８は前記センサヘッド２１・サーモライトチップ２２の代わりにサーミスタセンサ２４を用いた構成であり、そのサーミスタセンサ２４は熱ロール７の両端部に接触するように配置している。
【０００６】
図７，図８に示されているように前記加熱ヒータ２３ｄは熱ロール７の軸方向に延びる定着領域（通紙領域）Ｘのほぼ全長に亘って加熱部を有する長加熱部ヒータ、加熱ヒータ２３ａは定着領域Ｘの図面に向かって右端側に加熱部を有する短加熱部ヒータ、加熱ヒータ２３ｂは定着領域Ｘの中央部に加熱部を有する短加熱部ヒータ、加熱ヒータ２３ｃは定着領域Ｘの図面に向かって左端側に加熱部を有する短加熱部ヒータであり、この場合４本のヒータ２３が内蔵されている。
【０００７】
そして非接触式温度センサ２０ａは加熱ヒータ２３ａの加熱部と、非接触式温度センサ２０ｂは加熱ヒータ２３ｂの加熱部と、非接触式温度センサ２０ｃは加熱ヒータ２３ｃの加熱部と、それぞれ対応するように設置されている。高解像度印刷装置では、定着装置のトナー像の押し潰し軽減のために前記定着領域Ｘのほぼ全長に亘って耐熱性ゴムなどからなる耐熱性の弾性膜を形成する場合もある。図中の２５は過熱センサである。
【０００８】
非接触式温度センサ２０ａ，２０ｂ，２０ｃとしてサーモパイルなどの赤外線検出素子を使用した場合、飛散したトナーや紙粉などによるセンサの汚れや測定対象物の放射率の変化などによる検出温度のばらつきが生じ、またサーミスタセンサ２４を使用した場合、取り付けギャップのばらつきによる検出温度のばらつきが生じる。
【０００９】
このようなばらつきを補正するため、図７の場合はセンサヘッド２１、図８の場合は接触式サーミスタ２４の検出値を基準温度として用いている。即ち、センサヘッド２１や接触式サーミスタ２４の検出値（基準温度）に対応した各非接触式温度センサ２０ａ，２０ｂ，２０ｃの標準温度と、各非接触式温度センサ２０ａ，２０ｂ，２０ｃが実際に検出する検出温度との差分を補正している。
【００１０】
なお、この種の定着装置に関しては、例えば下記のような特許文献を挙げることができる。
【特許文献１】特許第３，７４３，５４３号公報
【特許文献２】特開２００１−２４２７４３号公報
【発明の開示】
【発明が解決しようとする課題】
【００１１】
前述の定着装置において、基準となるセンサヘッド２１はサーモライトチップ２２を熱ロール７の金属表面に直接貼り付けるため、また接触式サーミスタ２４は熱ロール７の磨耗や汚れを回避するため、これらは熱ロール７の前記加熱ヒータ２３ａ，２３ｂ，２３ｃ，２３ｄが内蔵されている定着領域Ｘから外れた端部側に設けられている。
【００１２】
このためセンサヘッド２１や接触式サーミスタ２４は、非接触式温度センサ２０と比較して熱応答性が悪く、温度が安定するのに時間を要する。つまり、熱ロール７のウォーミングアップ時の状態（例えばウォーミングアップ開始前の温度）により、ウォーミングアップ直後のセンサヘッド２１や接触式サーミスタ２４の出力に大きな格差が生じるため、非接触式温度センサ２０の補正精度は低い。
【００１３】
また前記特許文献２には熱ロール７のウォーミングアップ前の温度により温度補正する方法が記載されているが、ある程度温度が安定するまで待たなくてはならないという問題がある。
【００１４】
本発明の目的は、温度制御の信頼性を向上させ、ウォーミングアップ時間を短縮することが可能な定着装置ならびに画像形成装置のウォーミングアップ方法を提供することにある。 
【課題を解決するための手段】
【００１５】
前記目的を達成するため本発明の第１の手段は、加熱手段を備えた熱ロールと、その熱ロールに圧接する加圧ロールと、前記熱ロールの定着に関与する定着領域に対向して熱ロールと非接触の状態で配置した非接触式の第１の熱ロール温度検出手段と、前記定着領域外の熱ロールの領域上に配置した第２の熱ロール温度検出手段とを備え、
前記第１の熱ロール温度検出手段からの検出信号に基いて前記加熱手段のオン／オフ制御を行ない、前記熱ロールの温度を所定の温度に維持しながら、前記熱ロールと加圧ロールとの圧接部で記録媒体上に転写されたトナー像を当該記録媒体に熱定着する定着装置のウォーミングアップ方法において、
前記定着装置のウォーミングアップ時、前記第２の熱ロール温度検出手段により検出される第２の検出温度が一定となっている期間に、前記第１の熱ロール温度検出手段により検出される第１の検出温度の時間間隔に伴う変化量を取得し、
その第１の検出温度の時間間隔に伴う変化量から、収束すると予測される第１の検出温度の予測収束温度を演算し、
予め記憶されている標準温度と前記予測収束温度との差分を演算して、
その差分値により前記第１の熱ロール温度検出手段により検出される第１の検出温度を補正して、
その後補正された第１の検出温度に基いて前記加熱手段のオン／オフ制御を行なうことを特徴とするものである。
【００１６】
本発明の第２の手段は前記第１の手段において、前記加熱手段は、前記定着領域の軸方向の異なる位置に個別に加熱部を有する複数本の短加熱部ヒータと、前記定着領域の軸方向のほぼ全長に亘って加熱部を有する少なくとも１本の長加熱部ヒータとを有し、
前記第２の検出温度を一定に制御するために設定された第２の温度制御用設定値よりも高いコントロール温度を設定し、
定着装置のウォーミングアップ開始当初は、前記短加熱部ヒータならびに長加熱部ヒータに通電して、前記コントロール温度を目標値として前記第１の熱ロール温度検出手段により温度制御を行ない、
前記第２の検出温度が第２の温度制御用設定値に到達すると、前記短加熱部ヒータへの通電を停止して、前記長加熱部ヒータへの通電を継続し、前記第２の温度制御用設定値を目標値とする前記第２の熱ロール温度検出手段による温度制御に切り替えることを特徴とするものである。
【００１７】
本発明の第３の手段は前記第１の手段において、前記加熱手段は複数本の加熱ヒータを備え、各加熱ヒータは定着領域の軸方向の異なる位置に個別に加熱部を有し、
前記第１の熱ロール温度検出手段が前記各加熱部と対向して複数設置されて、
各第１の熱ロール温度検出手段に対して個別に前記第１の検出温度が補正されて、
その補正された第１の検出温度に基いて前記複数本の加熱ヒータを個別にオン／オフ制御することを特徴とするものである。
【００１８】
本発明の第４の手段は前記第１の手段において、前記第１の検出温度の予測収束温度Ｙが、下式により演算されることを特徴とするものである。
【００１９】
Ｙ＝Ａ×（Ｐｎ−Ｐ(ｎ−1)）／（Ｔｎ−Ｔ(ｎ−1)）+Ｐｎ
式中Ａ：第１の熱ロール温度検出手段固有の定数
Ｐ：第１の熱ロール温度検出手段の出力
ｎ：データの取得数
Ｔ：データの取得時刻
本発明の第５の手段は前記第２の手段において、前記補正された第１の検出温度に基いて前記加熱手段のオン／オフ制御を行ない、前記第１の検出温度が前記コントロール温度に到達するとウォーミングアップを完了することを特徴とするものである。
【００２０】
本発明の第６の手段は前記第１または第４の手段において、前記第１の検出温度の予測収束温度と予め設定されている標準温度とを比較して、その差分が規定された範囲を外れた場合に第１の熱ロール温度検出手段の異常エラーと判断することを特徴とするものである。
【００２１】
本発明の第７の手段は前記第６の手段において、前記第１の熱ロール温度検出手段の異常エラーと判断されると、その第１の熱ロール温度検出手段の清掃または交換をオペレータに報知することを特徴とするものである。
【００２２】
本発明の第８の手段は、帯電器により帯電された感光体上に書き込まれた静電潜像を現像機で現像してトナー像を形成し、搬送されてきた記録媒体に前記感光体上のトナー像を転写器により転写して、定着装置の熱ロールと加圧ロールの間に前記記録媒体を通すことにより前記トナーを記録媒体に熱定着する画像形成装置のウォーミングアップ方法において、
前記定着装置のウォーミングアップを前記第１ないし７のいずれか１つの手段で前記定着装置のウォーミングアップ方法で実行することを特徴とするものである。
【発明の効果】
【００２３】
本発明は前述のような構成になっており、温度制御の信頼性を向上させ、ウォーミングアップ時間を短縮することが可能となる。
【発明を実施するための最良の形態】
【００２４】
次に本発明の実施形態を図とともに説明する。図１は、前述した図７の定着装置に使用する温度制御部の概略構成図である。なお、同図において非接触式温度センサ２０ａ，２０ｂ，２０ｃ、センサヘッド２１、サーモライトチップ２２、加熱ヒータ２３ａ，２３ｂ，２３ｃ，２３ｄの配置や構成などは図７で説明したものと同様なので説明は省略する。
【００２５】
同図に示すようにセンサヘッド２１からの信号をセンサヘッド信号受信回路３１で受信するようになっており、例えばサーモライトチップ２２が１７０℃検出用であれば、熱ロール７の表面温度（サーモライトチップ２２の温度）が１７０℃より低い場合は、センサヘッド信号受信回路３１から「High」の信号が出力され、熱ロール７の表面温度（サーモライトチップ２２の温度）が１７０℃より高い場合は、センサヘッド信号受信回路３１から「Low」の信号が出力される。この信号はマイクロコンピュータ３０に入力され、認識される。本実施形態では１７０℃検出用サーモライトチップ２２を使用し、この設定温度をサーモライトチップ検出温度Ｋ３という。
【００２６】
非接触式温度センサ２０ａ，２０ｂ，２０ｃからのアナログ信号は、Ａ／Ｄ変換器３２でデジタル信号に変換され、マイクロコンピュータ３０に入力され、認識される。
【００２７】
マイクロコンピュータ３０は、センサヘッド信号受信回路３１からの信号、又はＡ／Ｄ変換器３２からの信号に基づき、ドライバ３４を介して加熱ヒータ２３ａ，２３ｂ，２３ｃ，２３ｄを個別にオン／オフ制御する。また、マイクロコンピュータ３０にはメモリ３３が接続され、後述する計測時間や温度センサデータなどが記憶できる。
【００２８】
この温度制御部による熱ロール７のウォーミングアップ方法の一例を図２に基いて説明する。同図は熱ロール７の温度が室温である状態からのウォーミングアップにて、非接触式温度センサ２０ａ，２０ｂ，２０ｃのうち何れか一つとサーモライトチップ２２の温度遷移を示している。
【００２９】
印刷装置の電源を投入し、時刻Ｔａで非接触式温度センサ２０による温度制御を開始する（ウォーミングアップ開始）。非接触式温度センサ２０の検出温度が予め設定されたコントロール温度Ｋ１（本実施形態では２００℃に設定）になるように全ての加熱ヒータ２３ａ〜２３ｄに通電して、熱ロール７を昇温する。このときコントロール温度Ｋ１は、サーモライトチップ２２の実際の温度が短時間にサーモライトチップ検出温度Ｋ３（本実施形態では１７０℃に設定）に到達するように、サーモライトチップ検出温度Ｋ３よりも十分に高い温度（本実施形態では３０℃高い温度）に設定されている。
【００３０】
熱ロール７の定着領域Ｘから外れた端部側に設置されているサーモライトチップ２２の温度は、熱ロール７の定着領域Ｘと対応する位置に設置されている非接触温度センサ２０の出力よりも応答性が悪いため、先ず第１ステップとしてコントロール温度Ｋ１を目標値にして非接触式温度センサ２０による温度制御を行なう。図中のＡ領域は、この第１ステップでのコントロール温度Ｋ１を目標値とした非接触式温度センサ２０による温度制御領域を示している。また線Ｄは非接触温度センサ２０の出力を、線Ｅはサーモライトチップ２２の実際の温度を、それぞれ示している。
【００３１】
このように高いコントロール温度Ｋ１を目標値とした非接触式温度センサ２０による温度制御で、ウォーミングアップ開始当初の立ち上がりを速くすることができる。
【００３２】
そしてサーモライトチップ２２の実際の温度がサーモライトチップ検出温度Ｋ３に到達して、センサヘッド信号受信回路３１から「Low」の信号が出力されたことをマイクロコンピュータ３０が認識したら、センサヘッド２１による温度制御に切り替える（時刻Ｔｂ）。このとき、熱ロール７の加熱量と放熱量の関係が均一になるように、例えば加熱ヒータ２３ａ〜２３ｃは非通電にして、熱ロール全幅を加熱できる加熱ヒータ２３ｄのみを使用して温度制御を行う。図中のＢ領域は、この第２ステップでのサーモライトチップ検出温度Ｋ３を目標値としたセンサヘッド２１による温度制御領域を示している。
【００３３】
図に示しているように、サーモライトチップ２２の温度上昇が非接触式温度センサ２０の温度上昇よりも遅れているため、センサヘッド２１による温度制御に切り替えた後は、徐々に非接触式温度センサ２０の出力は下降することになる（図中に複数の●印で示している）。この間の非接触式温度センサ２０の出力により補正を行う必要があるが、その補正方法については後述する。
【００３４】
補正が完了すると、第３ステップとして非接触式温度センサ２０による温度制御に切り換え（時刻Ｔｃ）、非接触式温度センサ２０がコントロール温度Ｋ１に達したところでヒータのウォーミングアップを完了する（時刻Ｔｄ）。図中のＣ領域は、この第３ステップでのコントロール温度Ｋ１を目標値とした非接触式温度センサ２０による温度制御領域を示しており、全ての加熱ヒータ２３ａ〜２３ｄに通電して、それの通電オン／オフ制御を行なう。この加熱ヒータ２３ａ〜２３ｄの通電オン／オフ制御は、印刷時も継続して行なわれる。
【００３５】
前記時刻Ｔｄの時点で出力されるウォーミングアップ完了信号は印刷装置の制御部本体（図示せず）に送信されて、このウォーミングアップ完了信号に基いて制御部本体は印刷許可信号を印刷装置の各部に出力する。
【００３６】
一方、例えば印刷終了直後に電源をオフし、すぐオンしたような場合、熱ロール７は高温状態からウォーミングアップされることになる。この場合の非接触式温度センサ２０とサーモライトチップ２２の温度遷移は図３のようになる。
【００３７】
すなわち、すでにサーモライトチップ２２の温度（線Ｅ）がサーモライトチップ検出温度Ｋ３を超えているため、始めからセンサヘッド２１による温度制御を行うことになるが、サーモライトチップ２２の温度下降が非接触式温度センサ２０の温度下降より遅れているため、センサヘッド２１による温度制御に切り替わった後は、図２とは逆に非接触式温度センサ２０の出力は複数の●印で示すように徐々に上昇することになる。
【００３８】
図２、図３のようにウォーミングアップ開始時の状態により、基準となるセンサヘッド２１が同じ温度を示しても、非接触温度センサ２０の出力が大きくばらつくことになる。熱ロール７の最終的な収束温度Ｙは等しい温度になるはずであるが、収束するためには数十分から数時間かかってしまう。ウォーミングアップ時間を短縮するためには、非接触温度センサ２０の出力が収束する前に前述の補正を完了する必要があり、且つその補正には高精度が要求される。
【００３９】
そこで本発明の実施形態に係る補正方法を図５を用いて説明する。同図は図３の時刻Ｔｂ以降をより詳細に示したものである。時刻Ｔｂで非接触式温度センサ２０による温度制御からセンサヘッド２１による温度制御に切り替えた時の非接触式温度センサ２０（線Ｄ）の出力Ｐ０と時刻Ｔ０を共にメモリ３３に記憶し、周期的に非接触式温度センサ２０の出力Ｐ１，Ｐ２，Ｐ３と、その時の時刻Ｔ１，Ｔ２，Ｔ３をメモリ３３に記憶する。ここでは４点のデータを採取しているが、複数点であれば４点で無くとも良い。またここでは、最初の出力Ｐ０を時刻Ｔｂで採取しているが、時刻Ｔｂ以降であればどこでも良い。
【００４０】
これらのデータ（昇温速度データ）を用いて収束温度を予測する訳であるが、この予測収束温度Ｙは諸種の実験により、下記の式１で予測できることが分かった。
【００４１】
Ｙ＝Ａ×（Ｐｎ−Ｐ(ｎ−1)）／（Ｔｎ−Ｔ(ｎ−1)）+Ｐｎ      ・・・式１
式中のＡは、非接触式温度センサ２０ａ，２０ｂ，２０ｃそれぞれ固有の定数で、実験により決定される。
【００４２】
よって、メモリ３３に記録されたＰｎ，Ｔｎを式1に代入し、３点の収束温度Ｙを算出して、更にその平均値を採ることで予測精度を向上させることができる。
【００４３】
このようにして求められた予測収束温度Ｙと、予めメモリ３３に格納されている標準温度Ｋ４を比較し、その差分から補正量Ｋ２を導き出す。以降、非接触式温度センサ２０にて温度制御を行う際には、非接触式温度センサ２０の出力に対し補正量Ｋ２を反映させて（例えば補正量Ｋ２を加算して）、非接触式温度センサ２０の温度データとすればよい。
【００４４】
ここで標準温度Ｋ４は、例えば印刷装置の組立完了時などのように非接触式温度センサ２０ａ，２０ｂ，２０ｃがまだ汚れていない新しい状態で個別に測定して設定した値である。
【００４５】
次に、非接触式温度センサ２０の出力異常検出方法について図５を用いて説明する。諸種の実験により予め求めた有効範囲の情報がメモリ３３に予め格納されている。この有効範囲は同図に示すように標準温度Ｋ４を中心にして、例えば±５℃〜±１０℃の範囲内に設定されており、前述のようにして演算された予測収束温度Ｙがこの有効範囲内に入っておればその補正量Ｋ２は有効と判断されて、前述の補正処理が実行される。一方、演算された予測収束温度Ｙがこの有効範囲内から出ている場合はその予測収束温度Ｙは無効と判断されて、補正処理は実行されず、異常エラーを例えば印刷装置の操作面上での文字や絵による表示、音による報知など適宜な手段でオペレータに報知し、非接触式温度センサ２０の清掃又は交換を促すように構成されている。
【００４６】
以上のように、本発明により、定着装置のウォーミングアップを短時間で完了し、非接触式温度センサの温度補正や異常検出を簡単な演算により高精度に実現することが可能となる。
【００４７】
前記実施形態では図７の構成について述べたが、図８に示す構成のものにも適用可能である。この場合センサヘッド２１の出力を接触式サーミスタ２４の出力に置き換えることで、簡単に適用が可能である。
【図面の簡単な説明】
【００４８】
【図１】本発明の実施形態に係る定着装置の温度制御部の概略構成図である。
【図２】その定着装置におけるヒータのウォーミングアップ時の温度変遷の第1の例を示す図である
【図３】その定着装置におけるヒータのウォーミングアップ時の温度変遷の第２の例を示す図である
【図４】本発明の実施形態に係る温度補正方法を説明するための図である。
【図５】本発明の実施形態に係る非接触式温度センサの異常検出方法を説明するための図である。
【図６】電子写真式印刷装置の概略構成図である。
【図７】その印刷装置における熱ロール付近の第１の構成例を示す斜視図である。
【図８】その印刷装置における熱ロール付近の第２の構成例を示す斜視図である。
【符号の説明】
【００４９】
１…帯電器、２…感光体、３…レーザ光、４…現像機、５…記録媒体搬送ユニット、６…記録媒体、７…熱ロール、８…加圧ロール、９…プラーローラ、１０…記録媒体巻き取り装置、１１…コロナ転写器、１２…リトラクタ、１５…記録媒体供給装置、２０ａ，２０ｂ，２０ｃ…非接触式温度センサ、２１…センサヘッド、２２…サーモライトチップ、２３ａ，２３ｂ，２３ｃ，２３ｄ…加熱ヒータ、２４…接触式サーミスタ、３０…マイクロコンピュータ、３１…センサヘッド信号受信回路、３２…Ａ／Ｄ変換器、３３…メモリ、３４…ドライバ、Ｘ…定着領域（通紙領域）。
【図１】
2008020630.tif 000003
【図２】
2008020630.tif 000004
【図３】
2008020630.tif 000005
【図４】
2008020630.tif 000006
【図５】
2008020630.tif 000007
【図６】
2008020630.tif 000008
【図７】
2008020630.tif 000009
【図８】
2008020630.tif 000010